(57)【要約】【課題】従来の布団干しばさみとしての使用に加えて挟み掛け対象部材（鴨居・敷居・建具・梁等）へ挟み掛け（吊るし掛け）した状態での使用が容易な為、雨天等・悪天候時においての室内物干し具として有効活用を可能とする。【解決手段】互いに開閉自在に結合された一対のアーム部材３Ａ、３Ｂと、これらアーム部材３Ａ，３Ｂを相互対角方向に付勢する付勢部材（突部）６，７とを有し両アーム部材３Ａ，３Ｂで適宜の挟み掛け部材Ｘを挟持する事によって挟み掛け（吊るし掛け）可能になされた室内物干し兼用布団干しばさみにおいて、両付勢部材（突部）６、７には物干し竿やポール等を掛け渡し可能となる通し孔（穴）を設けられているものとした。【選択図】図１
2008092980.tif 000002
【特許請求の範囲】
【請求項１】
互いに開閉自在に結合された一対のアーム部材(３Ａ，３Ｂ)と、これらアーム部材（３Ａ，３Ｂ）を相互対角方向に付勢部材（突部）（６，７）を有し、アーム部材（３Ａ，３Ｂ）適宜の挟み掛け対象部材（Ｘ）を挟持することによって挟み掛け（吊り下げ）可能になされた布団干しばさみにおいて、付勢部材（突部）（６，７）はその中央部に円形状の通し孔（穴）(８，９)を設けられている事を特徴とする室内物干し兼用布団干しばさみ。
【請求項２】
前記アーム部材(３Ａ，３Ｂ)は、両先端脚部(４Ａ，４Ｂ)において、適宜挟み掛け対象部材(Ｘ)に対して係脱自在となるフック部（爪部）(５Ａ，５Ｂ)が設けられている事を特徴とする請求項１に記載の室内物干し兼用布団干しばさみ。
【請求項３】
前記アーム部材(３Ａ，３Ｂ)は挟み掛け対象部材(Ｘ)を介して、両先端脚部(４Ａ，４Ｂ)との接合部(１０，１１)が内側への斜形状を形成し、この脚部（１０，１１）により挟み掛け対象部材（Ｘ）への掛止時にその側面との当接（垂直状態）となることを特徴とする請求項１又は請求項２記載の室内物干し兼用布団干しばさみ。
【発明の詳細な説明】
【技術分野】
【０００１】
本発明は、従来の布団干しばさみとしての使用に加え、室内挟み掛け対象部材(鴨居・敷居・建具・梁等)に挟み掛け室内物干しとしての使用を可能とする室内物干し兼用布団干しばさみ。
【背景技術】
【０００２】
室内で衣類等を干すに際し、鴨居・敷居・建具・梁等(以下、「挟み掛け対象部材」と言う)を利用して衣服用ハンガーを掛けたり、干し棒引っ掛け用のハンガーを取り付けたりする事があるが、各種ハンガーのフックを直接に挟み掛け対象部材に掛けるのを嫌うということがある。
一方、物干し竿やベランダ等へ布団類を掛ける場合には、一般にそのズレ落ち防止のために布団ばさみを使用しているが、この布団ばさみは専用の器具であり、他目的のための効果的な使用は出来ず、非使用時の収納に場所をとったり又はそのまま放置された状態にあったりと、使用者側の不満があった。
【０００３】
そこで本出願人はこれらの問題を一挙に解決できるようにした室内物干し兼用布団干しばさみを開発し、特許出願している。
（特許文献１参照）
この先願に係る室内物干し兼用布団干しばさみは、共通軸芯で結合された一対の挟み（アーム）部材と、これら両挟み部材の左右対角方向に付勢する付勢部材（突部材）とを有し、それぞれ円形の通し孔（穴）を有する構造となっている。
従って、この付勢部材を有した布団干しばさみを挟み掛け対象部材へ引っ掛け、この引っ掛けた付勢部材に対して各種ハンガーを掛ける事が出来るし、又、物干し竿やポール等を通し孔（穴）へ通し従来の布団干しばさみとしての使用に加え室内物干しとしての使用を可能にした。
【０００４】
従来、布団干しばさみとして種々の形式のものが提案されている
【特許文献１】特開２００４−１５４１９０
【特許文献２】特開２００１−１４９６９３
【特許文献３】特開平８−２９９６８８
【特許文献４】特開平１１−２９０５８６
【発明の開示】
【発明が解決しようとする課題】
【０００５】
上記の先願に係る室内物干し兼用布団干しばさみに対しては、屋外での使用時や室内での使用時の際、設置場所への安定性の問題や、かつ有効的な利用手段が無いのかという要請があった。
本発明は、上記事情に鑑みてなされたものであって従来の布団干しばさみとしての使用に加えて、雨天等悪天候時においての、室内各挟み掛け対象部材に対して挟み掛けた状態での有効的な使用を可能にする室内物干し兼用布団干しばさみを提供する事を目的とする。
【課題を解決するための手段】
【０００６】
前記目的を達成するために、本発明は次の手段を講じた。
即ち、本発明に係る室内物干し兼用布団干しばさみ１は、その基本構成として、互いに開閉自在に結合された一対のアーム部材３Ａ，３Ｂと、これらのアーム部材３Ａ、３Ｂを相互対角方向に付勢する付勢部材（突部）６，７とを有しておりアーム部材３Ａ、３Ｂで適宜の挟み掛け対象部材Ｘ（鴨居・敷居・建具・梁等）を挟持することによって挟み掛け（吊り下げ）可能になされたものである。
【０００７】
勿論、このように挟み掛け対象部材Ｘをアーム部材３Ａ、３Ｂによる保持力によって挟持することが出来るので、布団干しばさみとしての使用も可能である。
そして、アーム部材３Ａ、３Ｂ先端脚部４Ａ、４Ｂに対しては斜形状（１０，１１）構造とされているものである。
この脚部４Ａ、４Ｂは、適宜の挟み掛け対象部材Ｘ（鴨居・敷居・建具・梁等）に対して係脱自在となるフック（爪）部５Ａ、５Ｂを有したものである。
【０００８】
このような構成であるため、この布団干しばさみ１は従来の布団干しばさみとしての使用に加えて、挟み掛け対象部材Ｘに対して挟み掛け（吊るし掛け）した状態での使用も可能になっている。
アーム部材３Ａ，３Ｂは、使用姿勢と退避姿勢とに位置替え自在とされたものとするのが好適である。
この場合の使用姿勢は両アーム部材３Ａ，３Ｂ間に、位置して挟み掛け対象部材Ｘへのフック部（爪）５Ａ，５Ｂの引っ掛けを許容させる姿勢を言い、また退避姿勢は、両アーム部材３Ａ，３Ｂ間から退避してこれら両アーム部材３Ａ，３Ｂによる挟み掛け対象部材Ｘの挟持を許容させる姿勢を言う。
【０００９】
このように挟み掛け対象部材Ｘを介して、両アーム部材３Ａ，３Ｂは、使用姿勢として全体が大型化することが無く、コンパクトに抑えられる利点がある。
【００１０】
又、付勢部材（突部）６、７は中央部分に円形の通し孔（穴）８，９を設けた構造となっており、これら円形の通し孔（穴）に対し物干し竿やポール等を通した状態での使用を可能にしたものである。
この場合の使用姿勢は、付勢部材（突部）６、７間に位置して挟み掛け対象部材Ｘへの挟み掛け（吊るし掛け）を許容させる姿勢を言う。
【００１１】
このように本発明、室内物干し兼用布団干しばさみ１は挟み掛け対象部材に対して挟み掛けた状態での使用姿勢として使用できるので雨天等の悪天候時の室内物干しとして有効活用が出来る。
【発明の効果】
【００１２】
以上の説明から明らかなように本発明に係る室内物干し兼用布団干しばさみでは従来の布団干しばさみとしての使用に加えて挟み掛け対象部材（鴨居・敷居・建具・梁等）へ挟み掛け（吊るし掛け）した状態での使用が容易な為、雨天等の悪天候時に室内物干し具としての有効的活用が可能となる。
【発明を実施するための最良の形態】
【００１３】
以下、本発明の実施の形態を図面に基づいて説明する。
図２、図３は、本発明に係る室内物干し兼用布団干しばさみ１の実施形態についてその各使用例を示している。また図１は、この室内物干し兼用布団干しばさみ１の主要構成部材を分解して示している。
この図１から明らかなように、本発明に係る室内物干し兼用布団干しばさみ１は互いに開閉自在に結合される一対のアーム部材３Ａ、３Ｂとこれら両アーム部材３Ａ、３Ｂを相互対角方向に付勢する付勢部材（突部）６、７とを有している。
【００１４】
またこの室内物干し兼用布団干しばさみ１は脚部４Ａ、４Ｂ先端に位置するような形でフック（爪）５Ａ、５Ｂを有している。
従ってこの室内物干し兼用布団干しばさみ１は、図２，図３に示すように、鴨居・敷居・建具・梁等の断面角形状をした挟み掛け対象部材Ｘに対してこれらを両側から挟み込んで挟み掛け（吊り下げ）状態に取り付けが可能になっている。
【００１５】
そして、この室内物干し兼用布団干しばさみ１は図１に示すようにその両側へ衣服ハンガーや物干し竿・ポール等を通すための通し孔（穴）８、９を付勢部材（突部）６，７に設けた状態になっており、この通し孔（穴）８、９を設ける事によって図２や図３に示したような使用時に室内で衣類等を干す事が出来る、というものである。
この場合付勢部材（突部）６、７をアーム部材３Ａ、３Ｂの外側へ配置した事により使用時における挟み掛け対象部材壁面と物干し竿・ポール等との間に充分なスペースＬ１，Ｌ２を取る事が可能になる。これにより吊るし掛けたハンガーや又、シーツ・タオル及び洗濯物等の相互間距離も充分に確保出来るようにしている。
【００１６】
これらアーム部材３Ａ、３Ｂはこのアーム部材３Ａ、３Ｂから外側へ突出する付勢部材（突部）６、７と脚部４Ａ、４Ｂから突出するフック（爪）部５Ａ、５Ｂとを有しており、合成樹脂などによって一体成形されている。
アーム部材３Ａ，３Ｂ先端脚部４Ａ，４Ｂは、内側へ（Ｌ）形状に形成されておりその突端部には内側へ折り曲げられる形でフック（爪）部５Ａ、５Ｂが設けられている。又、このフック（爪）部５Ａ、５Ｂにより、挟み掛け対象部材Ｘに対しての掛止がより確実かつ効果的に出来るようにしてある。
また脚部４Ａ、４Ｂは相互内側への斜形状１０，１１で形成されており、この脚部１０，１１により、挟み掛け対象部材Ｘへの掛止時にその側面との当接（垂直状態）を可能とし、これによって支持点箇所の増加に伴う安定性増大が図られるようにしてある。
【００１７】
付勢部材（突部）６，７は相互対角方向に外側への輪形状呈したものとなっている。図２や図３から明らかなように、この付勢部材（突部）６，７は、それぞれ径の異なる通し孔（穴）８，９を中央部分に設け適宜、通し孔（穴）８，９に径の小さなポールから、通常の物干し竿に至るまで渡し掛けが可能となっている。
【産業上の利用可能性】
【００１８】
本発明に係る室内物干し兼用布団干しばさみは工業的に量産する事が可能であるため産業上の利用可能性を有する。
【図面の簡単な説明】
【００１９】
【図１】本発明の正面図
【図２】本発明の実施例を示す正面図
【図３】本発明の実施例を示す正面図
【符号の説明】
【００２０】
１          室内物干し兼用布団干しばさみ
２          軸芯
３Ａ，３Ｂ  アーム部
４Ａ，４Ｂ  脚部
５Ａ，５Ｂ  フック部（爪部）
６          付勢部材（突部）
７          付勢部材（突部）
８          竿等通し孔（穴）
９          竿等通し孔（穴）
１０        脚部先端部
１１        脚部先端部
１２        物干し竿・ポール等
１３        物干し竿・ポール等
Ｘ          挟み掛け対象部材
【図１】
2008092980.tif 000003
【図２】
2008092980.tif 000004
【図３】
2008092980.tif 000005